(57)【要約】  自動レベリング機能を有する洗濯機脚および洗濯機において、洗濯機の底部に複数の脚（１０）が取り付けられる。前記脚（１０）は固定部および可動部を含み、固定部および可動部間に中空空洞が形成され、中空空洞内に油圧媒体が充填される。前記脚（１０）の２つずつの間が高圧油管を介して接続され、２つの脚（１０）の中空空洞が相互に通じることを実現するか、または全ての前記脚（１０）が高圧油管を介してそれぞれ連通装置に接続され、全ての脚（１０）の中空空洞が相互に通じることを実現する。圧力作用下で、前記油圧媒体は相互に通じる脚（１０）の中空空洞間で流動し、可動部の伸縮を実現することができ、自動レベリングを行う。自動レベリング機能の洗濯機脚（１０）は、油圧の原理に基づき、脚（１０）中に油圧媒体が充填される。脚（１０）は様々な圧力に対して、油圧媒体の流動性により脚（１０）に対する適切な調整を自動で行う。液体媒体は脚（１０）間で流動することができ、調整範囲はより大きく、効果はより良好である。【選択図】図３
2019516439.tif 000002
【特許請求の範囲】
【請求項１】
洗濯機の底部に複数取り付けられる、自動レベリング機能を有する洗濯機脚であって、前記脚は固定部および可動部を含み、固定部および可動部間に中空空洞が形成され、中空空洞内に油圧媒体が充填され；
前記脚の２つずつの間が高圧油管を介して接続され、２つの脚の中空空洞が相互に通じることを実現するか、または全ての前記脚が高圧油管を介してそれぞれ連通装置に接続され、全ての脚の中空空洞が相互に通じることを実現し；
圧力作用下で、前記油圧媒体は相互に通じる脚の中空空洞間で流動し、可動部の伸縮を実現することができ、自動レベリングを行うことを特徴とする洗濯機脚。
【請求項２】
第１脚および第２脚を含み、第１脚および第２脚はそれぞれオリフィスおよびバルブ孔を有し、オリフィスおよびバルブ孔はそれぞれ中空空洞と通じ；前記第１脚のオリフィスおよび第２脚のバルブ孔は高圧油管を介して接続され、第１脚のバルブ孔および第２脚のオリフィスは高圧油管を介して接続されることを特徴とする、請求項１に記載の自動レベリング機能を有する洗濯機脚。
【請求項３】
前記第１脚および第２脚はそれぞれ１つのオリフィスと、第１バルブ孔、第２バルブ孔の２つのバルブ孔とを有し、オリフィス、第１バルブ孔および第２バルブ孔はそれぞれ中空空洞と通じ；
前記第１脚のオリフィスおよび第２脚の第１バルブ孔は高圧油管を介して接続され、第１脚の第１バルブ孔および第２脚のオリフィスは高圧油管を介して接続され、第１脚の第２バルブ孔および第２脚の第２バルブ孔は高圧油管を介して接続されることを特徴とする、請求項２に記載の自動レベリング機能を有する洗濯機脚。
【請求項４】
脚受け、可撓性収容体および調整脚を含み；前記脚受け内に中空空洞を有し、脚受けに中空空洞と通じるオリフィスおよびバルブ孔がそれぞれ設けられ、オリフィスおよびバルブ孔はそれぞれ高圧油管と接続され；
前記可撓性収容体は中空空洞内に設置され、可撓性収容体内部に収容空洞を有し、収容空洞内部に油圧媒体が充填され、圧力作用下で、複数の脚内の油圧媒体は高圧油管を介して相互に流動することができ；
前記調整脚の一端は中空空洞内に相対して摺動可能に設置され、可撓性収容体は調整脚と接触または接続されることを特徴とする、請求項１〜３のいずれか１項に記載の自動レベリング機能を有する洗濯機脚。
【請求項５】
前記脚受けは相互に接続される受け体およびスリーブを含み、受け体に溝が設けられ、受け体およびスリーブ間にプレスリングが設けられ；
前記可撓性収容体の一端に開口を有し、開口部分に密封構造を有し、密封構造の一端は溝内に設置され、もう一端はプレスリングのプレス嵌合下で、可撓性収容体および受け体間の密封接続を保持することを特徴とする、請求項４に記載の自動レベリング機能を有する洗濯機脚。
【請求項６】
前記受け体内に１つのオリフィスおよび少なくとも２つのバルブ孔が設けられ、オリフィスおよびバルブ孔はそれぞれ可撓性収容体の開口と通じ、オリフィスはバルブ孔の中間に設けられ；
第１の圧力下で、前記オリフィスおよびバルブ孔はいずれも導通を保持し、第２の圧力下で、可撓性収容体はバルブ孔を塞ぐまで圧縮され、オリフィスは導通を保持し；
好ましくは、前記可撓性収容体の開口と中空空洞との間に細径構造を有し、細径構造の内径は開口および中空空洞の内径より小さいことを特徴とする、請求項５に記載の自動レベリング機能を有する洗濯機脚。
【請求項７】
前記受け体内にオリフィスおよびバルブ孔が設けられ、オリフィスおよびバルブ孔およびバルブ孔はそれぞれ可撓性収容体の開口と通じ；
前記受け体に複数のノズルが設けられ、ノズルはそれぞれオリフィスおよびバルブ孔と通じ、ノズルは脱落防止ボスを有し、脱落防止ボスの外径は高圧油管の内径より大きいことを特徴とする、請求項４に記載の自動レベリング機能を有する洗濯機脚。
【請求項８】
前記スリーブの内壁に縦方向の位置制限溝が設けられ、調整脚の外壁に縦方向の位置制限突起が相応して設けられ、縦方向の位置制限突起は縦方向の位置制限溝と組み合わさり、調整脚を垂直、上下の伸縮運動に限定することを特徴とする、請求項４に記載の自動レベリング機能を有する洗濯機脚。
【請求項９】
前記受け体に、洗濯機と組み立てる少なくとも１つの取付孔、または洗濯機と組み立てる少なくとも１つの接続スタッドが設けられることを特徴とする、請求項４に記載の自動レベリング機能を有する洗濯機脚。
【請求項１０】
請求項１〜９のいずれか１項に記載の自動レベリング機能を有する洗濯機脚を有する洗濯機であって、筐体を含み、筐体の底部に複数の前記洗濯機脚が取り付けられ、洗濯機脚内部に充填される油圧媒体は、洗濯機脚間で流動し、レベリングを実現することができることを特徴とする洗濯機。
【発明の詳細な説明】
【技術分野】
【０００１】
本発明は洗濯機装置の技術分野に関し、具体的に、自動レベリング機能を有する洗濯機脚および洗濯機に関する。
【背景技術】
【０００２】
家電製品は、一般的に筐体の底部にレベリング装置が設けられ、家電製品を設置するとき、レベリング装置を調節することにより、安定した設置状態を達成することができる。レベリング後に設置すると、レベリング装置は家電製品を支持し、安定を保持することができる。
【０００３】
洗濯機を例とすると、図１に示すように、既存の洗濯機は一般的に筐体の底板９０１または洗濯機底部に脚が取り付けられる。脚はボルトＡ、ナットワッシャＢおよびラバーパッドＣを含み、ナットワッシャＢはボルトＡで上下に回転することができ、ボルトＡも底板９０１のネジ孔中で上下に回転することができ、脚のボルトＡが底板９０１のネジ孔に螺入される長さにより、洗濯機の高さの調整を実現する。大部分の洗濯機脚は、反時計回りに回転させると高くなり、時計回りに回転させると低くなる。該脚の高さを調整すると、緩みを防止するナットワッシャＢを締めて安定を保持する。
【０００４】
上記洗濯機の脚は洗濯機のレベリングを実現したが、ユーザが手動で調節する必要があり、洗濯機自体が比較的重いか、または設置空間が狭い場合、ユーザの操作が不便である。他に、洗濯機の長期に渡る動作過程での振動もレベリング脚に作用し、その支持が容易に機能しなくなり、洗濯機の設置が平らでなくなる。
【０００５】
例えば、既存の８ＫＧドラム式洗濯機は一般的に８０Ｋｇ前後であり、比較的重い。消費者の調節は極めて不便であり、たとえ調節を完了しても洗濯機の調整が最適な状態であると保証することはできない。洗濯機が洗濯で特に０ｒ／ｍｉｎから１４００ｒ／ｍｉｎ前後に加速して遠心脱水を行うとき、洗濯機に水平でない、またはガタが生じる問題が存在すると、極めて大きな振動を引き起こし、消費者の使用の快適さに極めて大きな影響を及ぼす。
【０００６】
他に、洗濯機が平らでないことによる振動で、脚のネジが緩むことがあり、脚のブラケットが垂直に移動する。この種の不安定さは、洗濯機の水平状態を変化させることがあり、より強烈な振動が生じる。この種の悪循環により、洗濯機を使用する時間は長くなり、騒音は次第に大きくなり、洗濯機自体にも一定のダメージを引き起こし、使用寿命を短くする。
【０００７】
したがって、既存の洗濯機のレベリングは手動で調節する必要があり、手間がかかり、精度が比較的劣る問題が存在する。
【０００８】
このことを考慮して、特に本発明を示す。
【発明の概要】
【発明が解決しようとする課題および課題を解決するための手段】
【０００９】
上記問題を解決するため、本発明における第１の発明の目的は、自動レベリング機能を有する洗濯機脚を提供することである。具体的に、以下の技術案を採用した。
自動レベリング機能を有する洗濯機脚において、前記洗濯機の底部に複数の脚が取り付けられる。前記脚は固定部および可動部を含み、固定部および可動部間に中空空洞が形成され、中空空洞内に油圧媒体が充填される。
前記脚の２つずつの間が高圧油管を介して接続され、２つの脚の中空空洞が相互に通じることを実現するか、または全ての前記脚は高圧油管を介してそれぞれ連通装置に接続され、全ての脚の中空空洞が相互に通じることを実現する。
圧力作用下で、前記油圧媒体は相互に通じる脚の中空空洞間で流動し、可動部の伸縮を実現することができ、自動レベリングを行う。
【００１０】
さらに、第１脚および第２脚を含み、第１脚および第２脚はそれぞれオリフィスおよびバルブ孔を有し、オリフィスおよびバルブ孔はそれぞれ中空空洞と通じる。前記第１脚のオリフィスおよび第２脚のバルブ孔は高圧油管を介して接続され、第１脚のバルブ孔および第２脚のオリフィスは高圧油管を介して接続される。
【００１１】
さらに、前記第１脚および第２脚はそれぞれ１つのオリフィスと、第１バルブ孔、第２バルブ孔の２つのバルブ孔とを有し、オリフィス、第１バルブ孔および第２バルブ孔はそれぞれ中空空洞と通じる。
前記第１脚のオリフィスおよび第２脚の第１バルブ孔は高圧油管を介して接続され、第１脚の第１バルブ孔および第２脚のオリフィスは高圧油管を介して接続され、第１脚の第２バルブ孔および第２脚の第２バルブ孔は高圧油管を介して接続される。
【００１２】
さらに、脚受け、可撓性収容体および調整脚を含む。前記脚受け内に中空空洞を有し、脚受けに中空空洞と通じるオリフィスおよびバルブ孔がそれぞれ設けられ、オリフィスおよびバルブ孔はそれぞれ高圧油管と接続される。
前記可撓性収容体は中空空洞内に設置され、可撓性収容体内部に収容空洞を有し、収容空洞内部に油圧媒体が充填され、圧力作用下で、複数の脚内の油圧媒体は高圧油管を介して相互に流動することができる。
前記調整脚の一端は中空空洞内に相対して摺動可能に設置され、可撓性収容体は調整脚と接触または接続される。
【００１３】
さらに、前記脚受けは相互に接続される受け体およびスリーブを含み、受け体に溝が設けられ、受け体およびスリーブ間にプレスリングが設けられる。
前記可撓性収容体の一端に開口を有し、開口部分に密封構造を有する。密封構造の一端は溝内に設置され、もう一端はプレスリングのプレス嵌合下で、可撓性収容体および受け体間の密封接続を保持する。
【００１４】
さらに、前記受け体内に１つのオリフィスおよび少なくとも２つのバルブ孔が設けられ、オリフィスおよびバルブ孔はそれぞれ可撓性収容体の開口と通じ、オリフィスはバルブ孔の中間に設けられる。
第１の圧力下で、前記オリフィスおよびバルブ孔はいずれも導通を保持し、第２の圧力下で、可撓性収容体はバルブ孔を塞ぐまで圧縮され、オリフィスは導通を保持する。
【００１５】
さらに、前記可撓性収容体の開口と中空空洞との間に細径構造を有し、細径構造の内径は開口および中空空洞の内径より小さい。
【００１６】
さらに、前記受け体内にオリフィスおよびバルブ孔が設けられ、オリフィスおよびバルブ孔およびバルブ孔はそれぞれ可撓性収容体の開口と通じる。
前記受け体に複数のノズルが設けられ、ノズルはそれぞれオリフィスおよびバルブ孔と通じる。ノズルは脱落防止ボスを有し、脱落防止ボスの外径は高圧油管の内径より大きい。さらに、前記スリーブの内壁に縦方向の位置制限溝が設けられ、調整脚の外壁に縦方向の位置制限突起が相応して設けられ、縦方向の位置制限突起は縦方向の位置制限溝と組み合わさり、調整脚を垂直、上下の伸縮運動に限定する。
【００１７】
さらに、前記受け体に、洗濯機と組み立てる少なくとも１つの取付孔、または洗濯機と組み立てる少なくとも１つの接続スタッドが設けられる。
【００１８】
本発明における第２の発明の目的は洗濯機を提供することである。具体的に、以下の技術案を採用した。
上記自動レベリング機能を有する洗濯機脚を有する洗濯機は筐体を含み、筐体の底部に複数の前記洗濯機脚が取り付けられる。洗濯機脚内部に充填される油圧媒体は、洗濯機脚間で流動し、レベリングを実現することができる。
【００１９】
本発明の自動レベリング機能の洗濯機脚は、油圧の原理に基づき、脚中に油圧媒体が充填される。脚は様々な圧力に対して、油圧媒体の流動性により脚に対する適切な調整を自動で行う。液体媒体が全ての脚間で流動することができ、調整範囲はより大きく、調整効果はより良好である。
【００２０】
他に、本発明の自動レベリング機能の洗濯機脚は、油圧媒体が密封の可撓性収容体内に入れられる。該可撓性収容体は調整脚内部に配置され、油圧媒体が漏出する問題を効果的に解決し、脚の動作の安定性を確実に保証する。
【００２１】
したがって、本発明における洗濯機脚の構造は簡単で、コストは低く、使用は便利で、信頼性が高い。振動を顕著に低下させ、騒音を低下させることができ、洗濯機のユーザ体験における快適さを高める。
【図面の簡単な説明】
【００２２】
【図１】図１は、既存の家電製品における脚の構造概要図である。
【図２】図２は、本発明の実施例における洗濯機脚の立体構造の概要図である。
【図３】図３は、本発明の実施例における洗濯機脚の構造分解図である。
【図４】図４は、本発明の実施例における洗濯機脚の正面図である。
【図５】図５は、本発明の実施例における洗濯機脚の側面図である。
【図６】図６は、本発明の実施例における洗濯機脚の図４中のＧ−Ｇ面に沿った断面図である。
【図７】図７は、本発明の実施例における洗濯機脚の図４中のＨ−Ｈ面に沿った断面図である。
【図８】図８は、本発明の実施例における洗濯機脚の図５中のＪ−Ｊ面に沿った断面図である。
【図９】図９は、本発明の実施例における洗濯機脚が完全に圧縮した後の図５中のＪ−Ｊ面に沿った断面図である。
【図１０】図１０は、本発明の実施例における洗濯機脚の組立、取付概要図である。
【図１１】図１１は、本発明の実施例における洗濯機脚を洗濯機に取り付けた取付概要図である。
【図１２】図１２は、本発明の別の実施例における洗濯機脚を洗濯機に取り付けた取付概要図である。
【図１３】図１３は、本発明の別の実施例における洗濯機脚の組立、取付概要図である。
【図１４】図１４は、本発明の別の実施例における洗濯機脚を洗濯機に取り付けた取付概要図である。
【図１５】図１５は、本発明の実施例における洗濯機脚の動作状態の概要図である。
【発明を実施するための形態】
【００２３】
以下、図を組み合わせて、本発明の自動レベリング機能を有する洗濯機脚および洗濯機について詳細に記載する。
図２〜図９に示すように、本実施例における自動レベリング機能を有する洗濯機脚は脚受け、可撓性収容体６および調整脚４を含む。前記脚受け内に中空空洞を有し、脚受けに中空空洞と通じるオリフィス７およびバルブ孔８がそれぞれ設けられ、オリフィス７およびバルブ孔８は高圧油管とそれぞれ接続される。前記可撓性収容体６は中空空洞内に設置され、可撓性収容体６内部に収容空洞を有し、収容空洞内部に油圧媒体が充填され、圧力作用下で、複数の脚内の油圧媒体は高圧油管を介して相互に流動することができる。前記調整脚４の一端は中空空洞内に相対して摺動可能に設置され、可撓性収容体６は調整脚４と接触または接続される。
【００２４】
本実施例における自動レベリング機能の洗濯機脚は、油圧の原理に基づき、脚中に油圧媒体が充填される。脚は様々な圧力に対して、油圧媒体の流動性により脚に対する適切な調整を自動で行う。
【００２５】
本実施例における洗濯機脚のオリフィス７およびバルブ孔８は、それぞれ高圧油管に接続されるため、高圧油管を介して脚間が通じることを実現することができ、調整範囲はより大きく、調整効果はより良好である。
【００２６】
本実施例の洗濯機脚は、油圧媒体が密封の可撓性収容体６内に入れられる。該可撓性収容体６は調整脚４内部に配置され、油圧媒体が漏出する問題を効果的に解決し、脚の動作の安定性を確実に保証する。
【００２７】
したがって、本実施例における洗濯機脚の構造は簡単で、コストは比較的低く、使用は便利で、信頼性が高い。振動を顕著に低下させ、騒音を低下させることができ、洗濯機のユーザ体験における快適さを高める。
【００２８】
さらに、本実施例の脚受けは相互に接続される受け体１およびスリーブ３を含み、受け体に溝が設けられ、受け体１およびスリーブ３間にプレスリング１１が設置される。前記可撓性収容体６の一端に開口６０４を有し、開口部分に密封構造６０３を有する。密封構造６０３の一端は溝内に設置され、もう一端はプレスリング１１のプレス嵌合下で、可撓性収容体６および受け体１間の密封接続を保持する。
【００２９】
さらに、本実施例の受け体１内に１つのオリフィス７および少なくとも２つのバルブ孔８が設けられ、オリフィス７およびバルブ孔８はそれぞれ可撓性収容体６の開口６０４と通じ、オリフィス７はバルブ孔８の中間に設けられる。第１の圧力下で、前記オリフィス７およびバルブ孔８はいずれも導通を保持し、第２の圧力下で、可撓性収容体６はバルブ孔８を塞ぐまで圧縮され、オリフィス７は導通を保持する。
【００３０】
本実施例の受け体１に複数のノズル２が設けられ、ノズル２はオリフィス７およびバルブ孔８とそれぞれ通じる。ノズル２は脱落防止ボス２０１を有し、脱落防止ボス２０１の外径は高圧油管の内径より大きく、具体的に０．１ｍｍ〜１．５ｍｍである。
【００３１】
ノズル２の開始端に誘導構造２０２が設けられ、具体的に誘導構造２０２は面取り構造であり、これによりノズルの開始端は容易に油管に挿入される。
【００３２】
具体的に、図に示すように、本実施例の洗濯機脚は１つのオリフィス７および２つのバルブ孔８を含み、オリフィス７は２つのバルブ孔８の間に設けられる。前記オリフィス７は第２ノズル２０４に接続され、２つのバルブ孔８はそれぞれ第１ノズル２０３および第３ノズル２０５に接続される。
【００３３】
受け体１に複数の取付孔１０１を有し、ボルトまたはネジにより洗濯機の底板９０１に締め付けることができる。これにより受け体１の中心位置に１つのネジ付きスタッドを有し、洗濯機の底板９０１に螺入することを連想することができる。
【００３４】
本実施例の洗濯機脚において、前記可撓性収容体６の開口６０４と中空空洞との間に細径構造６０２を有し、細径構造６０２の内径は開口６０４および中空空洞の内径より小さい。
【００３５】
本実施例の可撓性収容体６の細径構造６０２は、中間に開口６０４と導通を保持する油孔を有し、細径構造６０２の特徴は、油孔がオリフィス７、バルブ孔８から絶えず流入または流出することができる油圧媒体を有することである。一旦、調整脚４の圧力が過度に大きくなると、細径構造６０２の周辺のゴムは受け体１に密着し、バルブ孔８を密封し、より大きなスロットル調整の作用を実現する。
【００３６】
本実施例の可撓性収容体６はジャバラ管部分を有し、ジャバラ管部分の内部は中空空洞である。ジャバラ管部分により、可撓性収容体６が圧縮または伸長するとき、不必要なひだが生じ、使用寿命を高める。
【００３７】
本実施例の洗濯機脚において、前記スリーブ３の内壁に縦方向の位置制限溝３０１が設けられ、調整脚４の外壁に縦方向の位置制限突起４０１が相応して設けられ、縦方向の位置制限突起４０１は縦方向の位置制限溝３０１と組み合わさり、調整脚を垂直、上下の伸縮運動に限定する。このような設置は以下の利点を有する。
（１）調整脚４は垂直に上下運動し、側方に偏位しない。
（２）調整脚４がスリーブ３中で回転運動するのを防止し、洗濯機の振動を大幅に低下させた。
（３）調整脚４がスリーブ３から脱落するのを効果的に防止し、可撓性収容体６が破裂するか、または直接床に接触し、鋭い物で破裂するのを防止する。
【００３８】
図１０、図１１、図１２、図１３および図１４に示すように、本実施例の自動レベリング機能を有する洗濯機脚において、前記洗濯機の底部に複数の脚１０が取り付けられる。前記脚１０は固定部および可動部を含み、固定部および可動部間に中空空洞が形成され、中空空洞内に油圧媒体が充填される。前記脚１０の２つずつの間が高圧油管を介して接続され、２つの脚１０の中空空洞が相互に通じることを実現するか、または全ての前記脚１０が高圧油管を介してそれぞれ連通装置１５に接続され、全ての脚の中空空洞が相互に通じることを実現する。圧力作用下、前記油圧媒体は相互に通じる脚１０の中空空洞間で流動し、可動部の伸縮を実現することができ、自動レベリングを行う。
【００３９】
本実施例における洗濯機脚は、一定の圧力作用下で、油圧媒体が気体を圧縮し、可動部はこれに伴って適切に伸縮する。圧力がさらに増大すると、気体はこれ以上圧縮されず、気体の内部圧力は油圧媒体に反作用し、可動部はこれに伴って充分な支持力を有するため、本実施例における洗濯機脚は適切な自動レベリング機能を有する。本実施例の油圧媒体は、具体的に油圧作動油を選択することができる。
【００４０】
本実施例における自動レベリング機能の洗濯機脚は、油圧の原理に基づき、脚中に油圧媒体が充填される。脚は様々な圧力に対して、油圧媒体の流動性により脚に対する適切な調整を自動で行う。液体媒体は全ての脚間で流動することができ、このうちの１つの脚が力を受けて圧縮するとき、油圧媒体はこれと通じる別の脚に流動し、別の脚内の油圧媒体が多くなり、圧力が増大して脚が延出し、これにより充分な支持を確実に保証する。したがって、本実施例の洗濯機脚の調整範囲はより大きく、調整効果はより良好である。
【００４１】
したがって、本実施例における洗濯機脚の構造は簡単で、コストは比較的低く、使用は便利で、信頼性が高い。振動を顕著に低下させ、騒音を低下させることができ、洗濯機のユーザ体験における快適さを高める。
【００４２】
本発明はドラム式洗濯機を例に挙げて説明する。ドラム式洗濯機は、
衣類を入れて洗濯する洗濯ドラムと；
粉末洗剤、液体洗剤または柔軟剤などを入れる洗剤ケースと；
洗濯機を操作する操作パネル１４と；
開いて衣類を取り出すか、または投入するドアと；
少なくとも１つの回転可能な伝動軸と接続され、少なくとも１つの出力を実現するモータモジュールと；
洗濯機全体の枠組みおよび外観を保持する筐体９と；
下面に本実施例の洗濯機脚を取り付ける底板９０１と；を含む。
【００４３】
図１０に示すように、本実施例の洗濯機脚は第１脚および第２脚を含み、第１脚および第２脚はそれぞれオリフィス７およびバルブ孔８を有し、オリフィス７およびバルブ孔８はそれぞれ中空空洞と通じる。前記第１脚のオリフィス７および第２脚のバルブ孔８は高圧油管を介して接続され、第１脚のバルブ孔８および第２脚のオリフィス７は高圧油管を介して接続される。
【００４４】
具体的に、本実施例の第１脚および第２脚はそれぞれ１つのオリフィス７と、第１バルブ孔、第２バルブ孔の２つのバルブ孔５とを有し、オリフィス７、第１バルブ孔および第２バルブ孔はそれぞれ中空空洞と通じる。前記第１脚のオリフィス７および第２脚の第１バルブ孔は第２高圧油管１３０２を介して接続され、第１脚の第１バルブ孔および第２脚のオリフィス７は第１高圧油管１３０１を介して接続され、第１脚の第２バルブ孔および第２脚の第２バルブ孔は第３高圧油管１３０３を介して接続される。前記第１高圧油管１３０１、第２高圧油管１３０２および第３高圧油管１３０３は油圧管セット１３を構成する。
【００４５】
具体的に、図１１に示すように、洗濯機の底板９０１の４つの角に４つの脚が取付、固定される。高圧油管セット１３は、洗濯機の底板９０１における左側の２つの脚と通じ、第１脚セット１００１を構成する。高圧油管セット１３は、洗濯機の底板９０１における右側の２つの脚と通じ、第２脚セット１００２を構成する。
【００４６】
このように、第１脚セット１００１の油圧媒体および一部の気体は、様々な圧力下で、この２つの脚間で相互に流動することができる。第２脚セット１００２の油圧媒体および一部の気体は、様々な圧力下で、この２つの脚間で相互に流動することができる。
【００４７】
図１２に示すように、洗濯機の底板９０１の４つの角に４つの脚が取付、固定される。高圧油管セット１３は、洗濯機の底板９０１における後面の２つの脚と通じ、第３脚セット１００３を構成する。高圧油管セット１３は、洗濯機の底板９０１における前面の２つの脚と通じ、第４脚セット１００４を構成する。
【００４８】
このように、第１脚セット１００３の油圧媒体および一部の気体は、様々な圧力下で、この２つの脚間で相互に流動することができる。第２脚セット１００４の油圧媒体および一部の気体は、様々な圧力下で、この２つの脚間で相互に流動することができる。
【００４９】
図１３および図１４に示すように、筐体９の底板９０１の４つの角に、または筐体９の底板の円周方向に沿って、相互に通じる少なくとも４つの脚１０が均等に設置される。各脚１０内に油圧媒体および気体が充填され、第１の圧力範囲内で、各脚１０内の油圧媒体および気体間の相互作用により可動部の伸縮を実現し、自動レベリングを行う。第２の圧力範囲内で、相互に通じる脚１０内の油圧媒体および気体間の相互作用により可動部の伸縮を実現し、自動レベリングを行う。この方式は、全ての脚間が通じることを実現し、液体媒体が全ての脚間で流動することができ、調整範囲はより大きく、調整効果はより良好である。
【００５０】
具体的に、前記脚１０内部に、油圧媒体および気体を充填する密閉空洞を有し、前記密閉空洞に高圧油管セット１３が通じる。各前記脚１０の高圧油管セット１３はそれぞれ連通装置１５に通じ、これにより全ての脚１０間が相互に通じることを実現する。
【００５１】
本実施例における洗濯機脚は気体を弾性媒体とし、液体を圧力伝達媒体とする。良好な緩衝能力を有するだけでなく、制振作用も有し、さらに受けた圧力の大きさに基づいて、脚自体の高さを調節することもできる。
【００５２】
図１５に示すように、レベリングの原理を具体的に解説する。洗濯機を取り付けると、床１６は平らでないため、異なる脚の水平高さは異なり、床の窪み１６０１部分に位置する脚の位置は低い。これにより、位置が高い部分の脚が先に洗濯機の重量を受け、さらに受ける重力は大きく、位置が低い脚はガタが生じるか、または受ける重力が小さいことがわかる。位置が高い部分の脚の調整脚は大きな圧力下で上に移動し、脚全体の高さは低くなる。油圧作動油を充満させた可撓性収容体６の中空空洞の容積は圧縮されて小さくなり、油圧媒体はオリフィスまたはバルブ孔に進入し、高圧油管セットを通過して位置が低い部分の脚内に進入せざるを得なくなる。位置が低い部分の脚における可撓性収容体６の油圧媒体は次第に多くなり、これにより可撓性収容体６は膨張して調整脚の伸長を推進する。
【００５３】
位置が高い部分の脚および位置が低い部分の脚の油圧が同じであるとき、油圧媒体はこれ以上高圧油管セットから流動せず、調整脚および洗濯機の底板の相対位置はこれ以上変化せず、洗濯機脚の自動調整は完了する。
【００５４】
洗濯機の洗濯または脱水過程において、油圧媒体はゆっくりと流動して自らレベリングを行うこともでき、洗濯機の振動、騒音は大幅に低下する。
【００５５】
本実施例は、上記自動レベリング機能を有する洗濯機脚を有する洗濯機を同時に提供している。筐体９を含み、筐体９の底部に複数の前記洗濯機脚１０が取り付けられる。洗濯機脚内部に充填される油圧媒体は、洗濯機脚間で流動し、レベリングを実現することができる。
【００５６】
本実施例の洗濯機は、出荷、設置される際、好ましくは洗濯機脚の高さは４つとも一致している。洗濯機を平らでない底面にランダムに設置すると、４つの洗濯機脚は底面が平らでない状況に基づき、異なる圧力を受け、調整脚がスリーブに圧入する長さが異なり、さらには洗濯機の自動レベリングを実現する。
【００５７】
上記実施例について、以下をさらに説明する必要がある。
１、本発明の実施例における脚は２つずつつながり、３つないしそれ以上でもよい。数量Ｎ≧２で、好ましくは２つであり、コストは最も低く、さらに比較的良好な効果を実現することができる。
【００５８】
本発明の実施例において、連通装置１５の４つのポートを使用して、４つの脚がそれぞれ接続されるが、これにより３、５、６、Ｎ個のポートを有する１つの連通装置１５を使用して、前記ポートに３、５、６、Ｎ個の脚がそれぞれ接続されると推理することができる。上記実施例は前記機能を実現することができる状況下で、最も適切な４つを使用したに過ぎず、これによりコストを最も低く制御することを実現する。
【００５９】
２、本発明の実施例はドラム式洗濯機を例とし、本発明がドラム式洗濯機の自動レベリングを実現する原理および方法を詳述した。本発明をパルセータ式洗濯機に応用することができることを容易に連想することができる。
【００６０】
３、本発明の実施例は洗濯機を例とし、本発明が洗濯機の自動レベリングを実現する原理および方法を詳述した。本発明を冷蔵庫、冷凍庫、食器洗浄器など家電製品に応用することができることを容易に連想することができる。
【００６１】
以上の記載は本発明の好ましい実施例に過ぎず、本発明をどのような形式でも制限しない。本発明は好ましい実施例により上記のように開示したが、本発明を限定するものではない。当業者は本発明の技術案を逸脱しない範囲内で、上記に示した技術内容を利用して同等変化した等価実施例に変更または修飾することができる。しかし、本発明の技術案の内容を逸脱せずに、本発明の技術的本質に基づき、以上の実施例に対して行う簡単な修正、均等変化および修飾は、いずれも本発明案の範囲内に属する。
【符号の説明】
【００６２】
１  受け体
１０１  取付孔
２  ノズル
２０１  脱落防止ボス
２０２  誘導構造
２０３  第１ノズル
２０４  第２ノズル
２０５  第３ノズル
３  スリーブ
３０１  縦方向の位置制限溝
４  調整脚
４０１  縦方向の位置制限突起
５  弾性パッド
６  可撓性収容体
６０１  ジャバラ管部分
６０２  細径構造
６０３  密封構造
６０４  開口
７  オリフィス
８  バルブ孔
９  筐体
９０１  底板
１０  脚
１１  プレスリング
１２  クランプ
１３  高圧油管セット
１３０１  第１高圧油管
１３０２  第２高圧油管
１３０３  第３高圧油管
１４  操作パネル
１５  連通装置
１６  床
１６０１  床の窪み
【図１】
2019516439.tif 000003
【図２】
2019516439.tif 000004
【図３】
2019516439.tif 000005
【図４】
2019516439.tif 000006
【図５】
2019516439.tif 000007
【図６】
2019516439.tif 000008
【図７】
2019516439.tif 000009
【図８】
2019516439.tif 000010
【図９】
2019516439.tif 000011
【図１０】
2019516439.tif 000012
【図１１】
2019516439.tif 000013
【図１２】
2019516439.tif 000014
【図１３】
2019516439.tif 000015
【図１４】
2019516439.tif 000016
【図１５】
2019516439.tif 000017
【国際調査報告】
2019516439.tif 000018
2019516439.tif 000019
2019516439.tif 000020
2019516439.tif 000021
2019516439.tif 000022
2019516439.tif 000023